(57)【要約】【課題】ディスクに対し高品位なレーザ光のスポットが形成可能とされたレーザホルダおよび光ピックアップ装置を提供する。【解決手段】レーザ光を出射するレーザダイオード３が取り付けられる第一調整部材１０と、この第一調整部材１０に対し位置調整が可能とされた第二調整部材２０と、この第二調整部材２０に対し位置調整が可能とされた第三調整部材３０とを備えるレーザホルダ３とされ、第一調整部材１０に、レーザダイオード３から出射されるレーザ光の方向を調整可能とさせる第一ねじ６０が取り付けられ、第二調整部材２０に、レーザダイオード３から出射されるレーザ光の光軸方向Ｌに略沿ってレーザダイオード３の位置を調整可能とさせる第二ねじ７０が取り付けられた。前記レーザホルダ５が、光学系部品を備えるハウジング３００に取り付けられることで、光ピックアップ装置１が構成された。【選択図】図５
2006012328.tif 000002
【特許請求の範囲】
【請求項１】
レーザ光を出射するレーザダイオードが取り付けられる第一調整部材と、該第一調整部材に対し位置調整が可能とされた第二調整部材と、該第二調整部材に対し位置調整が可能とされた第三調整部材とを備え、該第一調整部材に、該レーザダイオードから出射される該レーザ光の方向を調整可能とさせる第一ねじが取り付けられ、該第二調整部材に、該レーザダイオードから出射される該レーザ光の光軸方向に略沿って該レーザダイオードの位置を調整可能とさせる第二ねじが取り付けられたことを特徴とするレーザホルダ。
【請求項２】
前記第一調整部材と、前記第二調整部材とは、前記レーザダイオードから出射される前記レーザ光の方向が調整されるときに、支点として機能する第一連結部により繋げられたことを特徴とする請求項１記載のレーザホルダ。
【請求項３】
前記第一連結部は、一方の連結部と、他方の連結部とを備え、前記第一調整部材は、略矩形平板状に形成され、該一方の連結部は、該第一調整部材の第一角部に設けられ、該他方の連結部は、該第一調整部材において、該第一角部の対角部とされる第二角部に設けられ、前記第二調整部材は、略矩形平板状に形成され、該一方の連結部は、該第一調整部材の該第一角部に対応した該第二調整部材の第一角部に設けられ、該他方の連結部は、該第二調整部材において、該第一角部の対角部とされる第二角部に設けられたことを特徴とする請求項２記載のレーザホルダ。
【請求項４】
前記第一調整部材の前記第一角部および前記第二角部以外の角部を、該第一調整部材の第三角部とし、前記第二調整部材の前記第一角部および前記第二角部以外の角部を、該第二調整部材の第三角部としたときに、該第一調整部材の該第三角部に、前記第一ねじに対応したねじ孔が設けられ、該第一ねじは、該ねじ孔に螺合され、該第一ねじは、該第一調整部材の該第三角部に対応する該第二調整部材の該第三角部に当接されたことを特徴とする請求項３記載のレーザホルダ。
【請求項５】
前記第一ねじは、雄ねじとして形成され、該雄ねじに対応した雌ねじ孔が、略平板状の前記第一調整部材に設けられ、該雌ねじ孔に螺合された該雄ねじの先端部が、略平板状をした前記第二調整部材の平面部に当接されたことを特徴とする請求項１〜４の何れか１項に記載のレーザホルダ。
【請求項６】
前記第二調整部材と、前記第三調整部材とは、前記レーザダイオードから出射される前記レーザ光の前記光軸方向に略沿って該レーザダイオードの位置が調整されるときに、支点として機能する第二連結部により繋げられたことを特徴とする請求項１〜５の何れか１項に記載のレーザホルダ。
【請求項７】
前記第二調整部材は、第一角部と、該第一角部の対角部とされる第二角部と、該第一角部および該第二角部以外の角部とされる第三角部とを少なくとも備える略矩形平板状に形成され、前記第二連結部は、該第二調整部材の該第三角部に設けられ、前記第三調整部材は、第一角部と、該第一角部の対角部とされる第二角部と、該第一角部および該第二角部以外の角部とされる第三角部とを少なくとも備える略矩形平板状に形成され、該第二連結部は、該第二調整部材の該第三角部に対応した該第三調整部材の該第三角部に設けられたことを特徴とする請求項６記載のレーザホルダ。
【請求項８】
前記第二調整部材において、前記第三角部の対角部を第四角部とし、前記第三調整部材において、前記第三角部の対角部を第四角部としたときに、該第二調整部材の該第四角部に、前記第二ねじに対応した第二ねじ孔が設けられ、該第二ねじは、該第二ねじ孔に螺合され、該第二ねじは、該第二調整部材の該第四角部に対応する該第三調整部材の該第四角
部に当接されたことを特徴とする請求項７記載のレーザホルダ。
【請求項９】
前記第二ねじは、雄ねじとして形成され、該雄ねじに対応した雌ねじ孔が、略平板状の前記第二調整部材に設けられ、該雌ねじ孔に螺合された該雄ねじの先端部が、略平板状をした前記第三調整部材の平面部に当接されたことを特徴とする請求項１〜８の何れか１項に記載のレーザホルダ。
【請求項１０】
前記レーザダイオードは、前記第一調整部材に設けられた貫通孔に嵌め合わせられたことを特徴とする請求項１〜９の何れか１項に記載のレーザホルダ。
【請求項１１】
請求項１〜１０の何れか１項に記載のレーザホルダが、光学系部品を備えるハウジングに取り付けられることで構成されたことを特徴とする光ピックアップ装置。
【発明の詳細な説明】
【技術分野】
【０００１】
本発明は、例えば光ディスク装置に装備され、ディスクに対し高精度なレーザ光のスポットが形成可能とされたレーザホルダおよび光ピックアップ装置に関するものである。
【背景技術】
【０００２】
図７は、従来の光ピックアップ装置の一形態を示す説明図である。
【０００３】
レーザドライバ５１０からレーザダイオード５２０へ電流が流されて、レーザダイオード５２０からレーザ光が出力される。レーザダイオードは、「ＬＤ」と呼ばれている。「ＬＤ」は、「Laser Diode 」の略称とされる。ＬＤ５２０は、レーザホルダ５３０内に収容されている。レーザホルダは、ＬＤを保持するものとされていることから、ＬＤホルダ等と略称される。レーザドライバは、「ＬＤＤ」等と呼ばれている。レーザドライバ（ＬＤＤ）は、「ＬＤ Driver 」の略称とされ、ＬＤ５２０を駆動させてＬＤ５２０からレーザ光を出射させるレーザ駆動回路とされている。ＬＤＤ５１０からＬＤ５２０に電流が供給され、ＬＤ５２０から出射されたレーザ光により、ディスク６００に情報の記録が行われたり、ディスク６００に記録された情報が再生されたりされる。
【０００４】
ＬＤホルダ５３０内のＬＤ５２０から出力されたレーザ光は、回折格子５４０、ダイバージェントレンズ５５０、ハーフミラー５６０、対物レンズ５７０を介して、ディスク６００に照射される。ハーフミラー（Half Mirror ）は、「ＨＭ」と略称される。また、対物レンズは、「Objective Lens」と呼ばれ、「ＯＢＬ」と略称される。
【０００５】
ディスク６００から反射されたレーザ光の一部は、フォトダイオードＩＣ５８０に当てられる。フォトダイオードＩＣ（Photo Diode IC）は、「ＰＤＩＣ」と略称される。ＰＤＩＣ５８０は、光を受けて、その信号を電気信号に変えて、光学式ピックアップ装置５０１のレンズホルダ（図示せず）のサーボ機構（図示せず）を動作させるためのものとされている。サーボ機構とは、制御の対象とされるものの状態を測定し、基準値と比較して、自動的に修正制御を行わせる機構のものを意味する。
【０００６】
また、ＬＤ５２０から出力されるレーザ光の一部は、フロントモニタダイオード５９０に入る。ＬＤ５２０から出射されたレーザ光の一部は、ＨＭ５６０の裏側において、フロントモニタダイオード５９０により検出される。フロントモニタダイオード（Front Monitor Diode ）は、「ＦＭＤ」と略称される。フロントモニタダイオード（ＦＭＤ）は、レーザダイオード（ＬＤ）から出力されるレーザ光をモニタして、レーザダイオード（ＬＤ）の制御のためにフィードバックをかけるものとされる。
【０００７】
前記ＬＤＤ５１０、前記ＬＤ５２０、前記ＰＤＩＣ５８０、前記ＦＭＤ５９０は、フレキシブルプリント回路体５０５に通電可能に接続される。フレキシブルプリント回路体は、「ＦＰＣ」と略称され、「ＦＰＣ」は、「Flexible Printed Circuit」の略称とされる。フレキシブルプリント回路体（ＦＰＣ）は、複数の回路導体５０５ｐが絶縁シート５０５ｑに印刷されて、例えば銅箔などの金属箔５０５ｐが絶縁シート５０５ｑに並設され、その上に保護層（図示せず）が設けられたものとされる。
【０００８】
上記ＦＰＣ５０５、上記ＬＤＤ５１０、上記ＬＤ５２０を備える上記ＬＤホルダ５３０、上記回折格子５４０、上記ダイバージェントレンズ５５０、上記ＨＭ５６０、上記ＯＢＬ５７０、上記ＰＤＩＣ５８０、上記ＦＭＤ５９０は、ハウジング（図示せず）に装備される。ハウジングとは、部品が収容される箱形のもの等の物が入れられる箱や、箱に類似
したものを意味するものとされる。
【０００９】
光学式ピックアップ装置５０１は、上述した各種のものを備えるものとして構成されている。光学式ピックアップ装置５０１は、図示されたもの以外に、他のもの（図示せず）も備えるものとされているが、図７においては、それらの他のものは、便宜上、省略した。
【００１０】
光学式ピックアップ装置５０１が用いられて、メディア６００における情報などのデータの再生または記録が行われる。メディア６００として、例えば、ＣＤやＤＶＤが挙げられる。「ＣＤ」は、「Compact Disc」の略称とされる。また、「ＤＶＤ」は、「Digital Versatile Disc」もしくは「Digital Video Disc」の略称とされる。光ピックアップ装置５０１は、前記各種の光ディスク６００に記録されたデータを再生させたり、書込み可能もしくは書換え可能とされた光ディスク６００にデータを記録させたりするものとされている。
【００１１】
また、従来のものとして、例えば短波長のレーザダイオードが光源として用いられる場合とされても光軸のずれを極めて小さくさせることが可能とされた光ディスク記録再生装置の光ピックアップ装置というものがある（例えば特許文献１参照）。
【特許文献１】特開２００３−１６６５９号公報（第１，２頁、第１，２，５図）
【発明の開示】
【発明が解決しようとする課題】
【００１２】
近年、より高精度な光ピックアップ装置の提供が市場から要求されている。例えば、図７に示す光ピックアップ装置５０１を、より高精度なものとして構成させる場合、レーザ光の光路に位置する各光学系部品５２０，５４０，５５０，５６０，５７０，５８０，５９０を、より高い精度で不図示のハウジングに配設させる必要性が生じる。
【００１３】
光ピックアップ装置の光学系の調整が行われるときに、例えばハウジングに対するＬＤ５２０の三次元（Ｘ軸方向、Ｙ軸方向、Ｚ軸方向）の位置や、ＬＤ５２０の向きを最適なものとさせて、ＬＤホルダ５３０内のＬＤ５２０から出射されるレーザ光の光軸や光路を最適なものとさせることは、重要なこととされる。ＬＤホルダ５３０内のＬＤ５２０の向きを最適なものに調整させることは、光学系全体の収差を最適なものとさせるために、重要なこととされている。収差とは、レンズなどを通る光線が正しく一点に集められないことを意味する。
【００１４】
また、ＯＢＬ５７０からディスク６００にレーザ光が照射されるときに、ディスク６００のデータ記録部６５０にできるレーザ光のスポットＳＰは、重要なものとされる。スポットとは、一点が明るく照らされた状態のものを意味する。ＬＤホルダ５３０内のＬＤ５２０から出射されたレーザ光がＯＢＬ５７０において集光されて、ディスク６００に情報の記録が行われたり、ディスク６００に記録された情報が再生されたりされる。そのときに、ディスク６００に形成された微小なピット（穴、凹み）や、グルーブ（溝）や、ウォブル（蛇行）などに、最適な大きさのレーザ光のスポットＳＰが当てられる。また、レーザ光のスポットＳＰは、レンズホルダの外乱の影響を受け難いものがよいものとされている。このように、ＯＢＬ５７０からディスク６００に照射されて形成されるレーザ光のスポットＳＰは、最適なスポットとして実現されることが重要なこととされる。
【００１５】
近年、ＤＶＤプレーヤなどに装備される記録用光ピックアップ装置５０１に対し、ディスク６００のデータ記録部６５０に、高精度なスポットＳＰいわゆる高品位なスポットＳＰが形成可能とされるものが要求されてきている。また、ＤＶＤよりもさらに高密度化された次世代のディスクいわゆる「Blu-ray Disc」に対応した光ピックアップ装置において
も、ディスクのデータ記録部に、高品位なスポット光が形成可能とされるものが要求されてきている。「Blu-ray 」とは、従来のＣＤやＤＶＤで、信号の読み書きに用いられていた赤色のレーザに対し、高密度記録が実現されるために採用された青紫色のレーザを意味する。
【００１６】
高性能な光ピックアップ装置が実現されるためには、ＯＢＬ５７０からディスク６００に照射されて形成されるレーザ光のスポットＳＰが高精度なものとされて、最適なスポットとされることが必要不可欠なこととされる。また、そのような高性能な光ピックアップ装置が実現されるためには、ＬＤ５２０から出射される光路や光軸を精度よく調整可能なＬＤホルダが必要とされる。
【００１７】
本発明は、上記した点に鑑み、ディスクに対し高品位なレーザ光のスポットが形成可能とされたレーザホルダおよび光ピックアップ装置を提供することを目的とする。
【課題を解決するための手段】
【００１８】
上記目的を達成するために、本発明の請求項１に係るレーザホルダは、レーザ光を出射するレーザダイオードが取り付けられる第一調整部材と、該第一調整部材に対し位置調整が可能とされた第二調整部材と、該第二調整部材に対し位置調整が可能とされた第三調整部材とを備え、該第一調整部材に、該レーザダイオードから出射される該レーザ光の方向を調整可能とさせる第一ねじが取り付けられ、該第二調整部材に、該レーザダイオードから出射される該レーザ光の光軸方向に略沿って該レーザダイオードの位置を調整可能とさせる第二ねじが取り付けられたことを特徴とする。
【００１９】
上記構成により、レーザダイオードから出射されるレーザ光の方向調整や、レーザダイオードから出射されるレーザ光の光軸方向に略沿ったレーザダイオードの位置調整は、精度よく行われることとなる。レーザホルダの第一調整部材に取り付けられた第一ねじが回動されることにより、レーザダイオードから出射されるレーザ光の方向調整は、精度よく行われることとなる。また、レーザホルダの第二調整部材に取り付けられた第二ねじが回動されることにより、レーザダイオードから出射されるレーザ光の光軸方向に略沿ったレーザダイオードの位置調整は、精度よく行われることとなる。このようにして、レーザダイオードから出射されるレーザ光の光軸調整や光路調整が精度よく行われるので、レーザダイオードを備えるレーザホルダが取り付けられた光ピックアップ装置内において、ディスクに対し高品位なレーザ光のスポットが形成されることとなる。
【００２０】
請求項２に係るレーザホルダは、請求項１記載のレーザホルダにおいて、前記第一調整部材と、前記第二調整部材とは、前記レーザダイオードから出射される前記レーザ光の方向が調整されるときに、支点として機能する第一連結部により繋げられたことを特徴とする。
【００２１】
上記構成により、レーザホルダを構成する第一調整部材と、第二調整部材とは、分離されることなく一体のものとして構成されることとなる。また、レーザホルダを構成する第一調整部材と、第二調整部材とは、第二調整部材に対してレーザダイオードの向きを変えることが可能とされた第一連結部により繋げられているので、レーザダイオードから出射されるレーザ光の方向調整が行われるときに、第一連結部が支点となって、第二調整部材に対し、第一調整部材の向きが動かされる。従って、第一調整部材に取り付けられたレーザダイオードの方向調整は、精度よく行われることとなる。
【００２２】
請求項３に係るレーザホルダは、請求項２記載のレーザホルダにおいて、前記第一連結部は、一方の連結部と、他方の連結部とを備え、前記第一調整部材は、略矩形平板状に形成され、該一方の連結部は、該第一調整部材の第一角部に設けられ、該他方の連結部は、
該第一調整部材において、該第一角部の対角部とされる第二角部に設けられ、前記第二調整部材は、略矩形平板状に形成され、該一方の連結部は、該第一調整部材の該第一角部に対応した該第二調整部材の第一角部に設けられ、該他方の連結部は、該第二調整部材において、該第一角部の対角部とされる第二角部に設けられたことを特徴とする。
【００２３】
上記構成により、レーザダイオードから出射されるレーザ光の方向調整は、無理なく容易に行われることとなる。略矩形平板状をした第一調整部材の第一角部と、略矩形平板状をした第二調整部材の第一角部とは、第一連結部を構成する一方の連結部により繋げられ、且つ、略矩形平板状をした第一調整部材の第二角部と、略矩形平板状をした第二調整部材の第二角部とは、第一連結部を構成する他方の連結部により繋げられているので、第二調整部材に対する第一調整部材の方向調整が行われて、レーザダイオードから出射されるレーザ光の方向調整が行われるときに、第一角部側の一方の連結部および第二角部側の他方の連結部が支点となって、第二調整部材に対し、第一調整部材の向きが動かされる。レーザダイオードを備える略矩形平板状の第一調整部材は、第一角部に設けられた一方の連結部と、第一角部の対角部とされる第二角部に設けられた他方の連結部とが支点となって、略矩形平板状の第二調整部材に対し、揺動される。従って、レーザダイオードから出射されるレーザ光の方向調整は、精度よく容易に行われることとなる。
【００２４】
請求項４に係るレーザホルダは、請求項３記載のレーザホルダにおいて、前記第一調整部材の前記第一角部および前記第二角部以外の角部を、該第一調整部材の第三角部とし、前記第二調整部材の前記第一角部および前記第二角部以外の角部を、該第二調整部材の第三角部としたときに、該第一調整部材の該第三角部に、前記第一ねじに対応したねじ孔が設けられ、該第一ねじは、該ねじ孔に螺合され、該第一ねじは、該第一調整部材の該第三角部に対応する該第二調整部材の該第三角部に当接されたことを特徴とする。
【００２５】
上記構成により、レーザダイオードから出射されるレーザ光の方向調整は、精度よく行われることとなる。第一調整部材の第三角部に設けられたねじ孔に第一ねじが螺合され、第一ねじは、第二調整部材の第三角部に当接され、第一ねじが回動されることで、第一調整部材の第三角部と、第二調整部材の第三角部との間が、広げられたり狭められたりされるので、レーザダイオードを備える略矩形平板状の第一調整部材は、第一角部に設けられた一方の連結部と、第一角部の対角部とされる第二角部に設けられた他方の連結部とが支点となって、略矩形平板状の第二調整部材に対し、揺動される。従って、レーザダイオードから出射されるレーザ光の方向の微調整は、第一ねじを回動させることにより、精度よく行われることとなる。
【００２６】
請求項５に係るレーザホルダは、請求項１〜４の何れか１項に記載のレーザホルダにおいて、前記第一ねじは、雄ねじとして形成され、該雄ねじに対応した雌ねじ孔が、略平板状の前記第一調整部材に設けられ、該雌ねじ孔に螺合された該雄ねじの先端部が、略平板状をした前記第二調整部材の平面部に当接されたことを特徴とする。
【００２７】
上記構成により、レーザダイオードから出射されるレーザ光の方向調整は、精度よく行われる。雄ねじとして形成された第一ねじが、略平板状をした第一調整部材の雌ねじ孔に螺合され、第一ねじの先端部が、略平板状をした第二調整部材の平面部に当接され、第一ねじが回動されることで、第二調整部材に対し、レーザダイオードを備える第一調整部材の方向調整が行われる。従って、レーザダイオードから出射されるレーザ光の方向の微調整は、第一ねじを回動させることにより、精度よく行われる。
【００２８】
請求項６に係るレーザホルダは、請求項１〜５の何れか１項に記載のレーザホルダにおいて、前記第二調整部材と、前記第三調整部材とは、前記レーザダイオードから出射される前記レーザ光の前記光軸方向に略沿って該レーザダイオードの位置が調整されるときに
、支点として機能する第二連結部により繋げられたことを特徴とする。
【００２９】
上記構成により、レーザホルダを構成する第二調整部材と、第三調整部材とは、分離されることなく一体のものとして構成されることとなる。また、レーザホルダを構成する第二調整部材と、第三調整部材とは、第三調整部材に対してレーザダイオードの位置を変えることが可能とされた第二連結部により繋げられているので、レーザダイオードから出射されるレーザ光の光軸方向に略沿ってレーザダイオードの位置が調整されるときに、第二連結部が支点となって、第三調整部材に対し、第二調整部材の位置が動かされる。従って、第二調整部材に続く第一調整部材に取り付けられたレーザダイオードの位置調整が行われるときに、レーザ光の光軸方向に略沿ったレーザダイオードの位置調整は、比較的容易に行われることとなる。
【００３０】
請求項７に係るレーザホルダは、請求項６記載のレーザホルダにおいて、前記第二調整部材は、第一角部と、該第一角部の対角部とされる第二角部と、該第一角部および該第二角部以外の角部とされる第三角部とを少なくとも備える略矩形平板状に形成され、前記第二連結部は、該第二調整部材の該第三角部に設けられ、前記第三調整部材は、第一角部と、該第一角部の対角部とされる第二角部と、該第一角部および該第二角部以外の角部とされる第三角部とを少なくとも備える略矩形平板状に形成され、該第二連結部は、該第二調整部材の該第三角部に対応した該第三調整部材の該第三角部に設けられたことを特徴とする。
【００３１】
上記構成により、レーザダイオードから出射されるレーザ光の光軸方向に略沿ったレーザダイオードの位置調整は、比較的容易に行われることとなる。略矩形平板状をした第二調整部材の第三角部と、略矩形平板状をした第三調整部材の第三角部とは、第二連結部により繋げられているので、第三調整部材に対する第二調整部材の位置調整が行われて、レーザダイオードから出射されるレーザ光の光軸方向に略沿ったレーザダイオードの位置調整が行われるときに、第二調整部材の第三角部と第三調整部材の第三角部とを繋ぐ第二連結部が支点となって、第三調整部材に対し、第二調整部材の位置が動かされる。従って、第二調整部材に続く第一調整部材に取り付けられたレーザダイオードの位置調整が行われるときに、レーザ光の光軸方向に略沿ったレーザダイオードの位置調整は、比較的容易に行われることとなる。
【００３２】
請求項８に係るレーザホルダは、請求項７記載のレーザホルダにおいて、前記第二調整部材において、前記第三角部の対角部を第四角部とし、前記第三調整部材において、前記第三角部の対角部を第四角部としたときに、該第二調整部材の該第四角部に、前記第二ねじに対応した第二ねじ孔が設けられ、該第二ねじは、該第二ねじ孔に螺合され、該第二ねじは、該第二調整部材の該第四角部に対応する該第三調整部材の該第四角部に当接されたことを特徴とする。
【００３３】
上記構成により、レーザダイオードから出射されるレーザ光の光軸方向に略沿ったレーザダイオードの位置調整は、比較的容易に行われる。第二調整部材の第四角部に設けられたねじ孔に第二ねじが螺合され、第二ねじは、第三調整部材の第四角部に当接され、第二ねじが回動されることで、第二調整部材の第四角部と、第三調整部材の第四角部との間が、広げられたり狭められたりされるので、略矩形平板状の第二調整部材は、第二調整部材の第三角部と第三調整部材の第三角部とを繋ぐ第二連結部が支点となって、略矩形平板状の第三調整部材に対し、揺動される。従って、第二調整部材に続く第一調整部材に取り付けられたレーザダイオードの位置調整が行われるときに、レーザ光の光軸方向に略沿ったレーザダイオードの位置調整は、第二ねじを回動させることにより、比較的容易に行われることとなる。
【００３４】
請求項９に係るレーザホルダは、請求項１〜８の何れか１項に記載のレーザホルダ
において、前記第二ねじは、雄ねじとして形成され、該雄ねじに対応した雌ねじ孔が、略平板状の前記第二調整部材に設けられ、該雌ねじ孔に螺合された該雄ねじの先端部が、略平板状をした前記第三調整部材の平面部に当接されたことを特徴とする。
【００３５】
上記構成により、レーザダイオードから出射されるレーザ光の光軸方向に略沿ったレーザダイオードの位置調整は、比較的容易に行われる。雄ねじとして形成された第二ねじが、略平板状をした第二調整部材の雌ねじ孔に螺合され、第二ねじの先端部が、略平板状をした第三調整部材の平面部に当接され、第二ねじが回動されることで、第三調整部材に対し、第二調整部材の位置調整が行われる。従って、第二調整部材に続く第一調整部材に取り付けられたレーザダイオードの位置調整が行われるときに、レーザ光の光軸方向に略沿ったレーザダイオードの位置調整は、第二ねじを回動させることにより、比較的容易に行われることとなる。
【００３６】
請求項１０に係るレーザホルダは、請求項１〜９の何れか１項に記載のレーザホルダ
において、前記レーザダイオードは、前記第一調整部材に設けられた貫通孔に嵌め合わせられたことを特徴とする。
【００３７】
上記構成により、レーザダイオードは、確実にレーザホルダの第一調整部材に取り付けられることとなる。レーザダイオードは、第一調整部材に設けられた貫通孔に嵌め合わせられているので、レーザホルダの第一調整部材に対してレーザダイオードの位置がずらされたり、レーザダイオードが第一調整部材から不用意に抜け落とされたりされるといった不具合の発生は防止され、レーザダイオードは、レーザホルダの第一調整部材に確実に固定される。従って、レーザホルダの第一調整部材に嵌着されたレーザダイオードから出射されるレーザ光の方向調整や、レーザダイオードから出射されるレーザ光の光軸方向に略沿ったレーザダイオードの位置調整は、精度よく確実に行われることとなる。
【００３８】
請求項１１に係る光ピックアップ装置は、請求項１〜１０の何れか１項に記載のレーザホルダが、光学系部品を備えるハウジングに取り付けられることで構成されたことを特徴とする。
【００３９】
上記構成により、ディスクに対し高品位なレーザ光のスポットを形成可能とさせた光ピックアップ装置が構成されることとなる。レーザダイオードから出射されるレーザ光の方向や、レーザダイオードから出射されるレーザ光の光軸方向に略沿ったレーザダイオードの位置を精度よく調整できるレーザホルダが用いられることにより、レーザダイオードを備えるレーザホルダが光学系部品を備えるハウジングに取り付けられるときの取付作業は、精度よく行われることとなる。レーザダイオードを備えるレーザホルダが、光学系部品を備えるハウジングに取り付けられるときに、レーザホルダに装備された第一ねじや第二ねじが調整されることにより、光学系部品に対するレーザ光の光軸調整や光路調整は、精度よく行われることとなる。従って、ディスクに対し高品位なレーザ光のスポットを形成可能とさせた光ピックアップ装置が提供されることとなる。
【発明の効果】
【００４０】
以上の如く、請求項１記載の発明によれば、レーザダイオードから出射されるレーザ光の方向調整や、レーザダイオードから出射されるレーザ光の光軸方向に略沿ったレーザダイオードの位置調整を、精度よく行うことができるものとなる。レーザホルダの第一調整部材に取り付けられた第一ねじが回動されることにより、レーザダイオードから出射されるレーザ光の方向調整は、精度よく行われる。また、レーザホルダの第二調整部材に取り付けられた第二ねじが回動されることにより、レーザダイオードから出射されるレーザ光の光軸方向に略沿ったレーザダイオードの位置調整は、精度よく行われる。このようにし
て、レーザダイオードから出射されるレーザ光の光軸調整や光路調整が精度よく行われるので、レーザダイオードを備えるレーザホルダが取り付けられた光ピックアップ装置内において、ディスクに対し高品位なレーザ光のスポットを形成させることができる。
【００４１】
請求項２記載の発明によれば、レーザホルダを構成する第一調整部材と、第二調整部材とを、分離させることなく一体のものとして構成させることができる。また、レーザホルダを構成する第一調整部材と、第二調整部材とは、第二調整部材に対してレーザダイオードの向きを変えることが可能とされた第一連結部により繋げられているので、レーザダイオードから出射されるレーザ光の方向調整が行われるときに、第一連結部が支点となって、第二調整部材に対し、第一調整部材の向きが動かされる。従って、第一調整部材に取り付けられたレーザダイオードの方向調整を精度よく行うことができる。
【００４２】
請求項３記載の発明によれば、レーザダイオードから出射されるレーザ光の方向調整を、無理なく容易に行うことができるものとなる。略矩形平板状をした第一調整部材の第一角部と、略矩形平板状をした第二調整部材の第一角部とは、第一連結部を構成する一方の連結部により繋げられ、且つ、略矩形平板状をした第一調整部材の第二角部と、略矩形平板状をした第二調整部材の第二角部とは、第一連結部を構成する他方の連結部により繋げられているので、第二調整部材に対する第一調整部材の方向調整が行われて、レーザダイオードから出射されるレーザ光の方向調整が行われるときに、第一角部側の一方の連結部および第二角部側の他方の連結部が支点となって、第二調整部材に対し、第一調整部材の向きが動かされる。レーザダイオードを備える略矩形平板状の第一調整部材は、第一角部に設けられた一方の連結部と、第一角部の対角部とされる第二角部に設けられた他方の連結部とが支点となって、略矩形平板状の第二調整部材に対し、揺動される。従って、レーザダイオードから出射されるレーザ光の方向調整を精度よく容易に行うことができる。
【００４３】
請求項４記載の発明によれば、レーザダイオードから出射されるレーザ光の方向調整を、精度よく行うことができるものとなる。第一調整部材の第三角部に設けられたねじ孔に第一ねじが螺合され、第一ねじは、第二調整部材の第三角部に当接され、第一ねじが回動されることで、第一調整部材の第三角部と、第二調整部材の第三角部との間が、広げられたり狭められたりされるので、レーザダイオードを備える略矩形平板状の第一調整部材は、第一角部に設けられた一方の連結部と、第一角部の対角部とされる第二角部に設けられた他方の連結部とが支点となって、略矩形平板状の第二調整部材に対し、揺動される。従って、第一ねじを回動させることにより、レーザダイオードから出射されるレーザ光の方向の微調整を精度よく行うことができる。
【００４４】
請求項５記載の発明によれば、レーザダイオードから出射されるレーザ光の方向調整は、精度よく行われる。雄ねじとして形成された第一ねじが、略平板状をした第一調整部材の雌ねじ孔に螺合され、第一ねじの先端部が、略平板状をした第二調整部材の平面部に当接され、第一ねじが回動されることで、第二調整部材に対し、レーザダイオードを備える第一調整部材の方向調整が行われる。従って、第一ねじを回動させることにより、レーザダイオードから出射されるレーザ光の方向の微調整を精度よく行うことができる。
【００４５】
請求項６記載の発明によれば、レーザホルダを構成する第二調整部材と、第三調整部材とを、分離させることなく一体のものとして構成させることができる。また、レーザホルダを構成する第二調整部材と、第三調整部材とは、第三調整部材に対してレーザダイオードの位置を変えることが可能とされた第二連結部により繋げられているので、レーザダイオードから出射されるレーザ光の光軸方向に略沿ってレーザダイオードの位置が調整されるときに、第二連結部が支点となって、第三調整部材に対し、第二調整部材の位置が動かされる。従って、第二調整部材に続く第一調整部材に取り付けられたレーザダイオードの位置調整が行われるときに、レーザ光の光軸方向に略沿ったレーザダイオードの位置調整
は、比較的容易に行われる。
【００４６】
請求項７記載の発明によれば、レーザダイオードから出射されるレーザ光の光軸方向に略沿ったレーザダイオードの位置調整を、比較的容易に行うことができるものとなる。略矩形平板状をした第二調整部材の第三角部と、略矩形平板状をした第三調整部材の第三角部とは、第二連結部により繋げられているので、第三調整部材に対する第二調整部材の位置調整が行われて、レーザダイオードから出射されるレーザ光の光軸方向に略沿ったレーザダイオードの位置調整が行われるときに、第二調整部材の第三角部と第三調整部材の第三角部とを繋ぐ第二連結部が支点となって、第三調整部材に対し、第二調整部材の位置が動かされる。従って、第二調整部材に続く第一調整部材に取り付けられたレーザダイオードの位置調整が行われるときに、レーザ光の光軸方向に略沿ったレーザダイオードの位置調整は、比較的容易に行われる。
【００４７】
請求項８記載の発明によれば、レーザダイオードから出射されるレーザ光の光軸方向に略沿ったレーザダイオードの位置調整は、比較的容易に行われる。第二調整部材の第四角部に設けられたねじ孔に第二ねじが螺合され、第二ねじは、第三調整部材の第四角部に当接され、第二ねじが回動されることで、第二調整部材の第四角部と、第三調整部材の第四角部との間が、広げられたり狭められたりされるので、略矩形平板状の第二調整部材は、第二調整部材の第三角部と第三調整部材の第三角部とを繋ぐ第二連結部が支点となって、略矩形平板状の第三調整部材に対し、揺動される。従って、第二調整部材に続く第一調整部材に取り付けられたレーザダイオードの位置調整が行われるときに、レーザ光の光軸方向に略沿ったレーザダイオードの位置調整は、第二ねじを回動させることにより、比較的容易に行われる。
【００４８】
請求項９記載の発明によれば、レーザダイオードから出射されるレーザ光の光軸方向に略沿ったレーザダイオードの位置調整は、比較的容易に行われる。雄ねじとして形成された第二ねじが、略平板状をした第二調整部材の雌ねじ孔に螺合され、第二ねじの先端部が、略平板状をした第三調整部材の平面部に当接され、第二ねじが回動されることで、第三調整部材に対し、第二調整部材の位置調整が行われる。従って、第二調整部材に続く第一調整部材に取り付けられたレーザダイオードの位置調整が行われるときに、レーザ光の光軸方向に略沿ったレーザダイオードの位置調整は、第二ねじを回動させることにより、比較的容易に行われる。
【００４９】
請求項１０記載の発明によれば、レーザホルダの第一調整部材に、確実にレーザダイオードを取り付けることができる。レーザダイオードは、第一調整部材に設けられた貫通孔に嵌め合わせられているので、レーザホルダの第一調整部材に対してレーザダイオードの位置がずらされたり、レーザダイオードが第一調整部材から不用意に抜け落とされたりされるといった不具合の発生は防止され、レーザダイオードは、レーザホルダの第一調整部材に確実に固定される。従って、レーザホルダの第一調整部材に嵌着されたレーザダイオードから出射されるレーザ光の方向調整や、レーザダイオードから出射されるレーザ光の光軸方向に略沿ったレーザダイオードの位置調整は、精度よく確実に行われる。
【００５０】
請求項１１記載の発明によれば、ディスクに対し高品位なレーザ光のスポットが形成可能とされた光ピックアップ装置を構成させることができる。レーザダイオードから出射されるレーザ光の方向や、レーザダイオードから出射されるレーザ光の光軸方向に略沿ったレーザダイオードの位置を精度よく調整できるレーザホルダが用いられることにより、レーザダイオードを備えるレーザホルダが光学系部品を備えるハウジングに取り付けられるときの取付作業は、精度よく行われる。レーザダイオードを備えるレーザホルダが、光学系部品を備えるハウジングに取り付けられるときに、レーザホルダに装備された第一ねじや第二ねじが調整されることにより、光学系部品に対するレーザ光の光軸調整や光路調整
は、精度よく行われることとなる。従って、ディスクに対し高品位なレーザ光のスポットが形成可能とされた光ピックアップ装置を提供することができる。
【発明を実施するための最良の形態】
【００５１】
以下に本発明に係るレーザホルダおよび光ピックアップ装置の一実施の形態を図面に基づいて詳細に説明する。
【００５２】
図１は、本発明に係るレーザホルダの一実施形態を示す斜視図、図２は、レーザホルダにレーザダイオードとねじとが取り付けられた状態を示す斜視図、図３（ａ）は、レーザホルダにレーザダイオードとねじとが取り付けられた状態を示す平面図、図３（ｂ）は、レーザホルダにレーザダイオードとねじとが取り付けられた状態を示す正面図、図４（ａ）は、レーザホルダを示す正面図、図４（ｂ）は、図４（ａ）に示すレーザホルダを斜め上側から見た図である。また、図５は、本発明に係る光ピックアップ装置の一実施形態を示す分解斜視図、図６は、同じく光ピックアップ装置を示す斜視図である。
【００５３】
この明細書における光ピックアップ装置１の各方向について、図５および図６を用いて説明すると、Ｘ軸方向が光ピックアップ装置１の奥行き方向とされ、Ｙ軸方向が光ピックアップ装置１の高さ方向もしくは上下方向とされ、Ｚ軸方向が光ピックアップ装置１の幅方向とされる。また、図１，図２，図３（ａ）に示された光軸方向Ｌは、図５および図６の如く、光ピックアップ装置１のＺ軸方向に沿ったものとされている。なお、この明細書におけるＸ軸方向、Ｙ軸方向、Ｚ軸方向の定義は、光ピックアップ装置１を説明するための便宜上のものとされる。
【００５４】
光学式ピックアップ装置１（図５，図６）が用いられて、メディアにおける情報などのデータの再生または記録が行われる。メディアとして、例えば、ＣＤ−ＲＯＭ，ＤＶＤ−ＲＯＭなどの読出し専用の光ディスクや、ＣＤ−Ｒ，ＤＶＤ−Ｒ，ＤＶＤ＋Ｒなどの追記型の光ディスクや、ＣＤ−ＲＷ，ＤＶＤ−ＲＷ，ＤＶＤ＋ＲＷ，ＤＶＤ−ＲＡＭ，Blu-ray Discなどの書込み／消去や書換え可能なタイプの光ディスクなどといった各種光ディスクが挙げられる。
【００５５】
上述した如く、「ＣＤ」は、「Compact Disc」の略称とされる。また、「ＤＶＤ」は、「Digital Versatile Disc」もしくは「Digital Video Disc」の略称とされる。また、「ＣＤ−ＲＯＭ」もしくは「ＤＶＤ−ＲＯＭ」の「ＲＯＭ」は、「Read Only Memory」の略称とされ、ＣＤ−ＲＯＭもしくはＤＶＤ−ＲＯＭは、データ読出し専用のものとされている。また、「ＣＤ−Ｒ」または「ＤＶＤ−Ｒ」もしくは「ＤＶＤ＋Ｒ」の「Ｒ」は、「Recordable」の略称とされ、ＣＤ−ＲまたはＤＶＤ−ＲもしくはＤＶＤ＋Ｒは、データの書込みが可能なものとされている。また、「ＣＤ−ＲＷ」または「ＤＶＤ−ＲＷ」もしくは「ＤＶＤ＋ＲＷ」の「ＲＷ」は、「ReWritable」の略称とされ、ＣＤ−ＲＷまたはＤＶＤ−ＲＷもしくはＤＶＤ＋ＲＷは、データの書換えが可能なものとされている。また、「ＤＶＤ−ＲＡＭ」は、「Digital Versatile Disc Random Access Memory 」の略称とされ、データの読み書き・消去が可能なものとされている。
【００５６】
光ピックアップ装置１は、前記各種の光ディスクに記録されたデータを再生させたり、前記書込み可能もしくは書換え可能な各種光ディスクにデータを記録させたりするものとされている。光ピックアップ装置１は、ＣＤ系のメディアと、ＤＶＤ系のメディアと、Blu-ray Disc系のメディアとに対応したものとされる。
【００５７】
光ピックアップ装置１を構成するハウジング３００に、各種光学系部品が装備されている。上述した如く、ハウジングとは、部品が収容される箱形のもの等の物が入れられる箱や、箱に類似したものを意味するものとされている。光学系部品として、例えば、レーザ
ダイオード、１／２波長板、１／４波長板、回折格子、ダイバージェントレンズ、プリズム、コリメータレンズ、ハーフミラー、レフレクトミラー、対物レンズ、フロントモニタダイオード、アナモレンズ、フォトダイオードＩＣなどが挙げられる。
【００５８】
光学系部品とされるレーザダイオードについて説明する。レーザドライバ（図示せず）からレーザダイオード３へ電流が流されて、レーザダイオード３からレーザ光が出力される。レーザダイオード３は、波長が約４０５ｎｍ（ナノメータ）の青紫色のレーザ光を出射する発光素子とされている。上述した如く、レーザダイオードは、「ＬＤ」と呼ばれている。「ＬＤ」は、「Laser Diode 」の略称とされている。
【００５９】
ＬＤ３は、ＦＰＣなどのフレキシブル基板（図示せず）の回路導体に通電可能に接続される複数の端子部３ｔと、各端子部３ｔが突設される略円板状の基部３ａと、基部３ａに続く略円柱形の本体部３ｂとを備えるものとして構成されている。上述した如く、「ＦＰＣ」は、「Flexible Printed Circuit」の略称とされている。
【００６０】
不図示のレーザドライバから不図示のＦＰＣを通ってＬＤ３に電流が供給され、これによってＬＤ３から出射されたレーザ光により、ディスクに情報の記録が行われたり、ディスクに記録された情報が再生されたりされる。ＬＤ３からレーザ光が出射されるときに、ＬＤ３から熱が発せられる。
【００６１】
ＬＤ３は、放熱特性に優れるアルミニウム合金製のレーザホルダ５に取り付けられている。また、ＬＤ３を備えるレーザホルダ５は、金属製のハウジング３００に装着される。上述した如く、レーザホルダは、ＬＤを保持するものとされていることから、ＬＤホルダ等と略称されている。
【００６２】
波長が約４０５ｎｍの青紫色のレーザ光を出射するＬＤ３に代えて、例えば、波長が約６５０〜６６０ｎｍの赤色レーザ光を出射するＬＤが用いられたものも使用可能とされる。また、波長が約４０５ｎｍの青紫色のレーザ光を出射するＬＤ３に代えて、例えば、波長が約７８０〜７９０ｎｍの赤色レーザ光を出射するＬＤが用いられたものも使用可能とされる。ＬＤホルダ５に装着されるＬＤとして、各種ＬＤが使用可能とされる。
【００６３】
また、他のレーザドライバ（図示せず）から他のレーザダイオード１０３へ電流が流されて、他のレーザダイオード１０３からレーザ光が出力される。不図示の他のレーザドライバから他のＬＤ１０３に電流が供給されて、他のＬＤ１０３から出射されたレーザ光により、ディスクに情報の記録が行われたり、ディスクに記録された情報が再生されたりされる。他のＬＤ１０３からレーザ光が出射されるときに、他のＬＤ１０３から熱が発せられる。他のＬＤ１０３は、放熱特性に優れるアルミニウム合金製の他のレーザホルダ１０５に取り付けられている。また、他のＬＤ１０３を備える他のＬＤホルダ１０５は、金属製のハウジング３００に装着されている。
【００６４】
光学系部品とされる対物レンズについて説明する。対物レンズ２００は、ＬＤ３またはＬＤ１０３から出されたレーザ光をディスク上に集光させる役割を果たすものとされている。上述した如く、対物レンズは、「Objective Lens」と呼ばれ、「ＯＢＬ」と略称されている。合成樹脂製のＯＢＬ２００は、合成樹脂製のレンズホルダ２１０に装着されている。
【００６５】
ディスクに対し、ＯＢＬ２００を備えるレンズホルダ２１０のフォーカスサーボが行われるときに、ＯＢＬ２００を備えるレンズホルダ２１０は、図６に示すＹ軸方向に沿って動かされる。また、ディスクに対し、ＯＢＬ２００を備えるレンズホルダ２１０のトラッキングサーボが行われるときに、ＯＢＬ２００を備えるレンズホルダ２１０は、図６に示
すＺ軸方向に沿って動かされる。
【００６６】
フォーカスとは、焦点やピントを意味する。また、トラッキングとは、光を用いて、ディスクに設けられた微小なピット（穴、凹み）や、グルーブ（溝）、ウォブル（蛇行）などを追跡観測し、螺旋状に描かれた軌道の位置を定めることを意味する。上述した如く、サーボもしくはサーボ機構とは、制御の対象とされるものの状態を測定し、測定したものと基準値とを比較して、自動的に修正制御を行わせる機構のものを意味する。
【００６７】
光学系部品とされるフォトダイオードＩＣについて説明する。フォトダイオードＩＣ２５０は、ディスクから反射されたレーザ光を受けて、その信号を電気信号に変えて、光学式ピックアップ装置１を構成するＯＢＬ２００付レンズホルダ２１０のサーボ機構（図示せず）を動作させるための光検出器とされている。上述した如く、フォトダイオードＩＣ（Photo Diode IC）は、「ＰＤＩＣ」と略称されている。
【００６８】
光ピックアップ装置１（図５，図６）を構成するハウジング３００は、マグネシウム（Ｍｇ）を含有するダイカスト合金が用いられて形成されている。また、光ピックアップ装置１を構成するハウジング３００は、上記各部品が装備されるハウジング本体３０１と、ハウジング本体３０１から突設され光ディスク装置（図示せず）を構成する第一ガイド軸（図示せず）と合わせられる第一ガイド部３１１と、第一ガイド部３１１に対し反対側に向けてハウジング本体３０１から突設され光ディスク装置（図示せず）を構成する第二ガイド軸（図示せず）と合わせられる一対の第二ガイド部３１２，３１２とを備えるものとして形成されている。
【００６９】
図５および図６に示す光学式ピックアップ装置１は、上記ＬＤ３，１０３と、上記ＬＤホルダ５，１０５と、上記レンズホルダ２１０に取り付けられた上記ＯＢＬ２００と、上記ＰＤＩＣ２５０と、上記ハウジング３００とを少なくとも備えるものとされている。図５および図６に示す光学式ピックアップ装置１は、上記ＬＤ３，１０３、上記ＬＤホルダ５，１０５、上記レンズホルダ２１０に取り付けられた上記ＯＢＬ２００、上記ＰＤＩＣ２５０、上記ハウジング３００以外に、各種光学系部品などの他の部品を備えるものとされているが、ここでは、他の部品に関する詳細な説明を省略する。
【００７０】
図１〜図４の如く、ＬＤホルダ５は、ＬＤ３（図１〜図３）が取り付けられる略平板状の第一調整部材１０と、この第一調整部材１０に対し略平行に設けられた略平板状の第二調整部材２０と、この第二調整部材２０に対し略平行に設けられた略平板状の第三調整部材３０とを備えるものとして構成されている。
【００７１】
詳しく説明すると、ＬＤホルダ５（図１〜図４）は、レーザ光を出射するＬＤ３（図１〜図３）が取り付けられる略平板状の第一調整部材１０と、第一調整部材１０に続き、第一調整部材１０に対して略平行に設けられ、且つ、第一調整部材１０に対し位置調整が可能とされた略平板状の第二調整部材２０と、第二調整部材２０に続き、第二調整部材２０に対して略平行に設けられ、且つ、第二調整部材２０に対し位置調整が可能とされた略平板状の第三調整部材３０とを備えるものとして構成されている。
【００７２】
ＬＤホルダ５を構成する第一調整部材１０に、ＬＤ３から出射されるレーザ光の方向を調整可能とさせる第一ねじ６０が取り付けられる。また、ＬＤホルダ５を構成する第二調整部材２０に、ＬＤ３から出射されるレーザ光の光軸方向Ｌに略沿ってＬＤ３の位置を調整可能とさせる第二ねじ７０が取り付けられる。
【００７３】
このようなＬＤホルダ５が構成されていれば、ＬＤ３から出射されるレーザ光の方向調整や、ＬＤ３から出射されるレーザ光の光軸方向Ｌに略沿ったＬＤ３の位置調整は、精度
よく容易に行われる。ＬＤホルダ５の第一調整部材１０に取り付けられた第一ねじ６０が回動されることにより、ＬＤ３から出射されるレーザ光の方向調整は、精度よく容易に行われる。また、ＬＤホルダ５の第二調整部材２０に取り付けられた第二ねじ７０が回動されることにより、ＬＤ３から出射されるレーザ光の光軸方向Ｌに略沿ったＬＤ３の位置調整は、精度よく容易に行われる。
【００７４】
このようにして、ＬＤ３から出射されるレーザ光の光軸調整や光路調整が精度よく行われるので、ＬＤ３を備えるＬＤホルダ５が取り付けられた光ピックアップ装置１（図５，図６）内において、不図示のディスクに対し、高品位なレーザ光のスポットが形成される。
【００７５】
図１〜３，図５，図６の如く、合計二本の位置調整用ねじ６０，７０が用いられて、ＬＤホルダ５に取り付けられたＬＤ３から出射されるレーザ光の光軸調整や光路調整が行われる。また、図３（ｂ）の如く、ＬＤホルダ５を正面側から見たときに、第一ねじ６０と、第二ねじ７０とは、略矩形状のＬＤホルダ５の対角線上に略位置するものとされる。
【００７６】
図１の如く、第一ねじ６０は、工具とされるプラスドライバ（図示せず）に対応した頭部６０ｃと、頭部６０ｃに続くねじ本体部６０ｂと、頭部６０ｃの反対側とされるねじ本体部６０ｂの先端部６０ａとを備えるものとして形成されている。第一ねじ６０と同じく、第二ねじ７０も、工具とされる不図示のプラスドライバに対応した頭部７０ｃと、頭部７０ｃに続くねじ本体部７０ｂと、頭部７０ｃの反対側とされるねじ本体部７０ｂの先端部７０ａとを備えるものとして形成されている。
【００７７】
図１の如く、ＬＤホルダ５を構成する第一調整部材１０と、第二調整部材２０とは、一対の連結部４０，４０により繋げられている。詳しく説明すると、ＬＤホルダ５を構成する第一調整部材１０と、第二調整部材２０とは、ＬＤ３から出射されるレーザ光の方向が調整されるときに、支点として機能する一対の第一連結部４０，４０により繋げられている。
【００７８】
第一連結部４０により、ＬＤホルダ５を構成する第一調整部材１０と、第二調整部材２０とが繋げられていれば、第一調整部材１０と、第二調整部材２０とは、分離されることなく一体のものとして構成される。また、ＬＤホルダ５を構成する第一調整部材１０と、第二調整部材２０とは、第二調整部材２０に対してＬＤ３の向きを変えることが可能とされた一対の第一連結部４０，４０により繋げられているので、ＬＤ３から出射されるレーザ光の方向調整が行われるときに、一対の第一連結部４０，４０（図３（ｂ））が支点となって、第二調整部材２０に対し、第一調整部材１０の向きが動かされる。従って、第一調整部材１０に取り付けられたＬＤ３の方向調整は、精度よく容易に行われる。
【００７９】
図１および図４（ａ）の如く、ＬＤホルダ５を構成する第一調整部材１０は、第一角部１１と、第一角部１１の対角部とされる第二角部１２と、第一角部１１および第二角部１２以外の角部とされる第三角部１３と、第三角部１３の対角部とされる第四角部１４とを備える略矩形平板状のものとして形成されている。略矩形平板状をした第一調整部材１０の略中央部に、ＬＤ３が挿入される貫通孔１８が設けられている。貫通孔１８の大径部１８ａは、ＬＤ３の基部３ａに対応して設けられたものとされている。また、貫通孔１８の小径部１８ｂは、ＬＤ３の本体部３ｂに対応して設けられたものとされている。
【００８０】
また、図１の如く、貫通孔１８の大径部１８ａの開口部１８ｈに、面取り部１８ｍが設けられている。この面取り部１８ｍは、ＬＤ３がＬＤホルダ５の貫通孔１８，２８に挿入されるときに、ＬＤ３の基部３ａが、貫通孔１８の大径部１８ａに挿入され易くさせるために設けられたものとされている。
【００８１】
また、第一調整部材１０の基壁部１０ａに形成された貫通孔１８の小径部１８ｂの開口部１８ｈ側に、面取り部１８ｎが設けられている。この面取り部１８ｎは、ＬＤ３がＬＤホルダ５の貫通孔１８，２８に挿入されるときに、ＬＤ３の本体部３ｂが、貫通孔１８の小径部１８ｂに挿入され易くさせるために設けられたものとされている。
【００８２】
「面取り」とは、面と面との交わりの角（かど）に、斜面または丸みを付けることをいう。「面取り」が設けられることにより、嵌め合いが容易とされたり、角に応力が集中されることが緩和されたり、作業者が負傷するといったことが防止されたりされる。面取り部１８ｍ，１８ｎは、略斜面とされるＣ面取りとして形成されていてもよく、また、略湾曲面とされるＲ面取りとして形成されていてもよい。
【００８３】
また、図１および図４（ａ）の如く、ＬＤホルダ５を構成する第一調整部材１０の略中央部に設けられた貫通孔１８は、接着剤（図示せず）が流し込まれるための複数の固定部１８ｃを備えるものとされている。固定部１８ｃが略凹形状に形成されることで、固定部１８ｃに適量の接着剤が注入可能とされる。ＬＤホルダ５を構成する第一調整部材１０の貫通孔１８に、ＬＤ３が挿入され（図２，図３）、第一調整部材１０の貫通孔１８の各固定部１８ｃに、不図示の接着剤が流し込まれることで、ＬＤ３は、ＬＤホルダ５に固定される。
【００８４】
図４（ａ）の如く、ＬＤホルダ５を正面から見たときに、第一調整部材１０の第一角部１１と、第二角部１２とが、対角線（図示せず）で結ばれ、且つ、第一調整部材１０の第三角部１３と、第四角部１４とが、対角線（図示せず）で結ばれたものと仮定された場合、第一角部１１と第二角部１２とを結ぶ不図示の対角線と、第三角部１３と第四角部１４とを結ぶ不図示の対角線とは、略直交する。第一角部１１と第二角部１２とを結ぶ不図示の対角線と、第三角部１３と第四角部１４とを結ぶ不図示の対角線とは、貫通孔１８の略中心において交差する。
【００８５】
また、ＬＤホルダ５を構成する第二調整部材２０は、第一角部２１と、第一角部２１の対角部とされる第二角部２２（図４（ａ））と、第一角部２１および第二角部２２以外の角部とされる第三角部２３（図１，図４）と、第三角部２３の対角部とされる第四角部２４とを備える略矩形平板状のものとして形成されている。略矩形平板状をした第二調整部材２０の略中央部に、ＬＤ３が挿通される貫通孔２８（図１，図４（ａ））が設けられている。この貫通孔２８は、ＬＤ３の本体部３ｂに対応して設けられたものとされている。
【００８６】
図４（ａ）の如く、ＬＤホルダ５を正面から見たときに、第二調整部材２０の第一角部２１と、第二角部２２とが、対角線（図示せず）で結ばれ、且つ、第二調整部材２０の第三角部２３と、第四角部２４とが、対角線（図示せず）で結ばれたものと仮定された場合、第一角部２１と第二角部２２とを結ぶ不図示の対角線と、第三角部２３と第四角部２４とを結ぶ不図示の対角線とは、略直交する。第一角部２１と第二角部２２とを結ぶ不図示の対角線と、第三角部２３と第四角部２４とを結ぶ不図示の対角線とは、貫通孔２８の略中心において交差する。
【００８７】
また、ＬＤホルダ５を構成する第三調整部材３０は、第一角部３１と、第一角部３１の対角部とされる第二角部３２（図４（ａ））と、第一角部３１および第二角部３２以外の角部とされる第三角部３３（図１，図４）と、第三角部３３の対角部とされる第四角部３４とを備える略矩形平板状のものとして形成されている。略矩形平板状をした第三調整部材３０の略中央部に、ＬＤ３から出射されるレーザ光が通される貫通孔３８（図４（ａ））が設けられている。
【００８８】
図４（ａ）の如く、ＬＤホルダ５を正面から見たときに、ＬＤホルダ５を構成する第三調整部材３０は、第一調整部材１０や第二調整部材２０よりも横長に形成された略直方体状のものとして形成されている。
【００８９】
略矩形平板状をした第一調整部材１０の略中央部に設けられた貫通孔１８の小径部１８ｂと、略矩形平板状をした第二調整部材２０の略中央部に設けられた貫通孔２８と、略矩形平板状をした第三調整部材３０の略中央部に設けられた貫通孔３８とは、中心が一致され、且つ、直径が同じ寸法のものとして形成されている。
【００９０】
図１の如く、第一連結部４０は、略矩形ブロック状に形成された一方の連結部４１と、略矩形ブロック状に形成された他方の連結部４２とを備えるものとして構成されている。
【００９１】
図１および図４の如く、第一連結部４０を構成する一方の連結部４１は、略矩形平板状に形成された第一調整部材１０の第一角部１１に設けられている。第一連結部４０を構成する一方の連結部４１は、第一調整部材１０の第一角部１１に対応した略矩形平板状の第二調整部材２０の第一角部２１に設けられている。
【００９２】
また、図１および図４（ａ）の如く、第一連結部４０を構成する他方の連結部４２は、第一調整部材１０において、第一角部１１の対角部とされる第二角部１２に設けられている。第一連結部４０を構成する他方の連結部４２は、第二調整部材２０において、第一角部２１の対角部とされる第二角部２２に設けられている。
【００９３】
一対の連結部４１，４２が、ＬＤホルダ５の第一角部１１，２１と、第一角部１１，２１の対角部とされる第二角部１２，２２とに設けられていれば、ＬＤ３から出射されるレーザ光の方向調整は、無理なく容易に行われる。
【００９４】
略矩形平板状をした第一調整部材１０の第一角部１１と、略矩形平板状をした第二調整部材２０の第一角部２１とは、第一連結部４０を構成する一方の連結部４１により繋げられ、且つ、略矩形平板状をした第一調整部材１０の第二角部１２と、略矩形平板状をした第二調整部材２０の第二角部２２とは、第一連結部４０を構成する他方の連結部４２により繋げられているので、第二調整部材２０に対する第一調整部材１０の方向調整が行われて、ＬＤ３から出射されるレーザ光の方向調整が行われるときに、第一角部１１，２１側の一方の連結部４１および第二角部１２，２２側の他方の連結部４２が支点となって、第二調整部材２０に対し、第一調整部材１０の向きが動かされる。
【００９５】
ＬＤ３を備える略矩形平板状の第一調整部材１０は、第一角部１１に設けられた一方の連結部４１と、第一角部１１の対角部とされる第二角部１２に設けられた他方の連結部４２とが支点となって、略矩形平板状の第二調整部材２０に対し、揺動される。従って、ＬＤ３から出射されるレーザ光の方向調整は、精度よく容易に行われる。
【００９６】
図１の如く、第一調整部材１０の第三角部１３に、第一ねじ６０に対応した第一ねじ孔１６が設けられている。図２および図３（ａ）の如く、第一ねじ６０は、第一調整部材１０に貫通形成された第一ねじ孔１６に螺合される。第一調整部材１０の第三角部１３の第一ねじ孔１６に螺合された第一ねじ６０の先端部６０ａは、第一調整部材１０の第三角部１３に対応する第二調整部材２０の第三角部２３の平面部２０ａに当接される。
【００９７】
このような構造のＬＤホルダ５が構成されていれば、ＬＤ３から出射されるレーザ光の方向調整は、精度よく行われる。第一調整部材１０の第三角部１３に設けられたねじ孔１６に、第一ねじ６０の本体部６０ｂが螺合され、第一ねじ６０の先端部６０ａが、第二調整部材２０の第三角部２３の平面部２０ａに当接され、第一ねじ６０が回動されることで
、第一調整部材１０の第三角部１３と、第二調整部材２０の第三角部２３との隙間４５が、広げられたり狭められたりされる。
【００９８】
このようにすることで、ＬＤ３を備える略矩形平板状の第一調整部材１０は、第一角部１１に設けられた一方の連結部４１と、第一角部１１の対角部とされる第二角部１２に設けられた他方の連結部４２（図１，図３（ｂ））とが支点となって、略矩形平板状の第二調整部材２０に対し、揺動される。従って、ＬＤ３から出射されるレーザ光の方向の微調整は、第一ねじ６０を回動させることにより、精度よく行われる。
【００９９】
例えば、図３（ｂ）の如く、各調整用ねじ６０，７０が装備されたＬＤホルダ５を正面から見たときに、一方の連結部４１と、他方の連結部４２と、第一ねじ６０とが、不図示の線により結ばれた場合、三角形が描かれる。図３（ｂ）の如く、各調整用ねじ６０，７０が装備されたＬＤホルダ５を正面から見たときに、一方の連結部４１と、他方の連結部４２と、第一ねじ６０とは、三角形が描かれた状態で配設される。
【０１００】
また、図３（ｂ）の如く、各調整用ねじ６０，７０が装備されたＬＤホルダ５を正面から見たときに、第一調整部材１０の第一角部１１に設けられた一方の連結部４１と、第一調整部材１０の第二角部１２に設けられた他方の連結部４２とが、対角線（図示せず）で結ばれたものと仮定した場合、第一ねじ６０（図２，図３）が回動されると、第二調整部材２０に対し、第一調整部材１０は、一方の連結部４１と他方の連結部４２とを結ぶ不図示の対角線を中心として揺動される。
【０１０１】
図１の如く、第一ねじ６０は、雄ねじ６０として形成されている。雄ねじ６０に対応した雌ねじ孔１６が、略平板状の第一調整部材１０に設けられている。図２および図３（ａ）の如く、第一調整部材１０の雌ねじ孔１６に螺合された第一雄ねじ６０の先端部６０ａが、略平板状をした第二調整部材２０の第一調整部材１０側の平面部２０ａに当接される。
【０１０２】
このような構造のＬＤホルダ５が構成されていれば、ＬＤ３から出射されるレーザ光の方向調整は、精度よく行われる。雄ねじ６０として形成された第一ねじ６０が、略平板状をした第一調整部材１０の雌ねじ孔１６に螺合され、第一ねじ６０の先端部６０ａが、略平板状をした第二調整部材２０の平面部２０ａに当接され、第一ねじ６０が回動されることで、第二調整部材２０に対し、ＬＤ３を備える第一調整部材１０の方向調整が行われる。従って、ＬＤ３から出射されるレーザ光の方向の微調整は、第一ねじ６０を回動させることにより、精度よく行われる。
【０１０３】
図１および図４（ｂ）の如く、ＬＤホルダ５を構成する第二調整部材２０と、第三調整部材３０とは、連結部５０により繋げられている。この連結部５０は、ＬＤ３（図１〜図３）から出射されるレーザ光の光軸方向Ｌ（図１〜図３（ａ））に略沿って、第一調整部材１０に取り付けられたＬＤ３の位置が調整されるときに、支点として機能するものとされている。
【０１０４】
即ち、ＬＤホルダ５を構成する第二調整部材２０と、第三調整部材３０とは、ＬＤ３から出射されるレーザ光の光軸方向Ｌに略沿って、第一調整部材１０に取り付けられたＬＤ３の位置が調整されるときに、支点として機能する第二連結部５０により繋げられている。
【０１０５】
第二連結部５０により、ＬＤホルダ５を構成する第二調整部材２０と、第三調整部材３０とが繋げられていれば、第二調整部材２０と、第三調整部材３０とは、分離されることなく一体のものとして構成される。また、ＬＤホルダ５を構成する第二調整部材２０と、
第三調整部材３０とは、第三調整部材３０に対してＬＤ３の位置を変えることが可能とされた第二連結部５０により繋げられているので、ＬＤ３から出射されるレーザ光の光軸方向Ｌに略沿って、第一調整部材１０に取り付けられたＬＤ３の位置が調整されるときに、第二連結部５０（図２，図３）が支点となって、第三調整部材３０に対し、第二調整部材２０の位置が動かされる。従って、第二調整部材２０に続く第一調整部材１０に取り付けられたＬＤ３の位置調整が行われるときに、レーザ光の光軸方向Ｌに略沿ったＬＤ３の位置調整は、比較的容易に行われる。
【０１０６】
図１および図４（ｂ）の如く、第一調整部材１０と、第二調整部材２０と、第三調整部材３０とは、一つのものとされ、ＬＤホルダ５は、第一調整部材１０と、第二調整部材２０と、第三調整部材３０とが、一つのものとして一体成形されて構成されている。
【０１０７】
第二調整部材２０と、第三調整部材３０とを繋ぐ第二連結部５０は、第二調整部材２０の第三角部２３にのみ設けられている。第二調整部材２０と、第三調整部材３０とを繋ぐ第二連結部５０は、第二調整部材２０の第三角部２３に対応した第三調整部材３０の第三角部３３にのみ設けられている。上記第一連結部４０は、一対の連結部４１，４２を備えるものとして構成されているが、第二連結部５０は、単一の連結部５０として形成されている。
【０１０８】
ＬＤホルダ５の第三角部２３，３３に単一の第二連結部５０が設けられていれば、ＬＤ３から出射されるレーザ光の光軸方向Ｌに略沿ったＬＤ３の位置調整は、比較的容易に行われる。
【０１０９】
略矩形平板状をした第二調整部材２０の第三角部２３と、略矩形平板状をした第三調整部材３０の第三角部３３とは、第二連結部５０により繋げられているので、第三調整部材３０に対する第二調整部材２０の位置調整が行われて、ＬＤ３から出射されるレーザ光の光軸方向Ｌに略沿って、第一調整部材１０に取り付けられたＬＤ３の位置調整が行われるときに、第二調整部材２０の第三角部２３と第三調整部材３０の第三角部３３とを繋ぐ第二連結部５０が支点となり、第三調整部材３０に対し、第二調整部材２０の位置が動かされる。
【０１１０】
従って、第二調整部材２０に続く第一調整部材１０に取り付けられたＬＤ３の位置調整が行われるときに、レーザ光の光軸方向Ｌに略沿ったＬＤ３の位置調整は、比較的容易に行われる。
【０１１１】
第二連結部５０は、第二調整部材２０と第三調整部材３０とを繋ぐ結合部５１と、結合部５１の一側に設けられた湾曲状の一方の肉盗み部５２と、結合部５１の他側に設けられた湾曲状の他方の肉盗み部５３とを備えて形成されている。このような形状のものとして第二連結部５０が形成されていれば、第二連結部５０が支点とされて、第三調整部材３０に対し第二調整部材２０が動かされるときに、第二調整部材２０は、容易に可動されることとなる。
【０１１２】
図１の如く、第二調整部材２０の第四角部２４に、第二ねじ７０に対応した第二ねじ孔２７が設けられている。図２および図３（ａ）の如く、第二ねじ７０は、第二調整部材２０に貫通形成された第二ねじ孔２７に螺合される。第二調整部材２０の第四角部２４の第二ねじ孔２７に螺合された第二ねじ７０の先端部７０ａは、第二調整部材２０の第四角部２４に対応する第三調整部材３０の第四角部３４の平面部３０ａに当接される。
【０１１３】
図３（ｂ）の如く、ねじ６０，７０が装備されたＬＤホルダ５を正面側から見たときに、第二連結部５０が設けられた第三角部２３の対角部とされる第二調整部材２０の第四角
部２４に、第二ねじ７０が位置するものとされている（図２，図３（ａ））。
【０１１４】
このような構造のＬＤホルダ５が構成されていれば、ＬＤ３から出射されるレーザ光の光軸方向Ｌに略沿ったＬＤ３の位置調整は、比較的容易に行われる。第二調整部材２０の第四角部２４に設けられたねじ孔２７に、第二ねじ７０の本体部７０ｂが螺合され、第二ねじ７０の先端部７０ａが、第三調整部材３０の第四角部３４の平面部３０ａに当接され、第二ねじ７０が回動されることで、第二調整部材２０の第四角部２４と、第三調整部材３０の第四角部３４との隙間５５が、広げられたり狭められたりされる。
【０１１５】
このようにすることで、略矩形平板状の第二調整部材２０は、第二調整部材２０の第三角部２３と、第三調整部材３０の第三角部３３とを繋ぐ第二連結部５０が支点となって、略矩形平板状の第三調整部材３０に対し、揺動される。従って、第二調整部材２０に続く第一調整部材１０に取り付けられたＬＤ３の位置調整が行われるときに、レーザ光の光軸方向Ｌに略沿ったＬＤ３の位置調整は、第二ねじ７０を回動させることにより、比較的容易に行われる。
【０１１６】
図１の如く、第二ねじ７０は、雄ねじ７０として形成されている。雄ねじ７０に対応した雌ねじ孔２７が、略平板状の第二調整部材２０に設けられている。図２および図３（ａ）の如く、第二調整部材２０の雌ねじ孔２７に螺合された第二雄ねじ７０の先端部７０ａが、略平板状をした第三調整部材３０の第二調整部材２０側の平面部３０ａに当接される。
【０１１７】
このような構造のＬＤホルダ５が構成されていれば、ＬＤ３から出射されるレーザ光の光軸方向Ｌに略沿ったＬＤ３の位置調整は、比較的容易に行われる。雄ねじ７０として形成された第二ねじ７０が、略平板状をした第二調整部材２０の雌ねじ孔２７に螺合され、第二ねじ７０の先端部７０ａが、略平板状をした第三調整部材３０の平面部３０ａに当接され、第二ねじ７０が回動されることで、第三調整部材３０に対し、第二調整部材２０の位置調整が行われる。従って、第二調整部材２０に続く第一調整部材１０に取り付けられたＬＤ３の位置調整が行われるときに、レーザ光の光軸方向Ｌに略沿ったＬＤ３の位置調整は、第二ねじ７０を回動させることにより、比較的容易に行われる。
【０１１８】
図１〜図３の如く、ＬＤ３は、第一調整部材１０の略中央部に設けられた貫通孔１８に嵌め合わせられる。第一調整部材１０に設けられた貫通孔１８にＬＤ３が挿入されるときに、レーザダイオード３を構成する基部３ａの停止面３ｓ（図１）が、レーザホルダ５を構成する第一調整部材１０の基壁部１０ａの停止面１０ｓ（図１）に当接される。また、図２および図３の如く、第一調整部材１０の略中央部に設けられた貫通孔１８に、ＬＤ３が挿入されたときに、不図示の治工具が用いられて、ＬＤホルダ５の第一調整部材１０に対するＬＤ３の加締め加工が行われる。
【０１１９】
このようにすることで、ＬＤ３は、確実にＬＤホルダ５の第一調整部材１０に取り付けられる。ＬＤ３は、第一調整部材１０の略中央部に設けられた貫通孔１８に、加締め加工が行われて嵌め合わせられているので、ＬＤホルダ５の第一調整部材１０に対してＬＤ３の位置がずらされたり、ＬＤ３が第一調整部材１０から不用意に抜け落とされたりされるといった不具合の発生は防止され、ＬＤ３は、ＬＤホルダ５の第一調整部材１０に確実に固定される。従って、ＬＤホルダ５の第一調整部材１０に嵌着されたＬＤ３から出射されるレーザ光の方向調整や、ＬＤ３から出射されるレーザ光の光軸方向Ｌに略沿ったＬＤ３の位置調整は、精度よく確実に行われる。
【０１２０】
また、第一調整部材１０の貫通孔１８の各接着固定部１８ｃ（図２，図３）に、不図示の接着剤が流し込まれることで、ＬＤ３は、ＬＤホルダ５に確実に接着固定される。前記
接着剤は、ＬＤ３をＬＤホルダ５に確実に固定させると共に、ＬＤ３から発せられる熱を外部に放熱させる役目を果たすものとされる。放熱特性をもつ接着剤として、例えば、スリーボンド社製：放熱シリコーン接着・シール剤などが挙げられる。放熱シリコーン接着・シール剤として、例えばスリーボンド（商標）１２２５Ｂなどが挙げられる。
【０１２１】
ＬＤ３（図１〜図３）が取り付けられ、且つ、各位置調整用ねじ６０，７０を備えるＬＤホルダ５が、図５および図６の如く、ＯＢＬ２００やＰＤＩＣ２５０などの各種光学系部品を備えるハウジング３００に取り付けられることで、光ピックアップ装置１が組み立てられて構成される。
【０１２２】
ＬＤホルダ５の第三調整部材３０に対応した装着部３３０が、ハウジング３００に設けられ、前記ＬＤホルダ５は、ハウジング３００のＬＤ装着部３３０に取り付けられる。ＬＤ３および各調整用ねじ６０，７０を備えるＬＤホルダ５が、ハウジング３００に装着されるときに、他のねじ（図示せず）などの止具や、接着剤などの取付部材が用いられて、前記ＬＤホルダ５は、ハウジング３００に固定される。
【０１２３】
上記ＬＤホルダ５が、各種光学系部品を備えるハウジング３００に取り付けられていれば、ディスクに対し高品位なレーザ光のスポットを形成可能とさせた光ピックアップ装置１が構成される。
【０１２４】
ＬＤ３から出射されるレーザ光の方向や、ＬＤ３から出射されるレーザ光の光軸方向Ｌに略沿ったＬＤ３の位置を精度よく調整できるＬＤホルダ５が用いられることにより、ＬＤ３を備えるＬＤホルダ５が各種光学系部品を備えるハウジング３００に取り付けられるときの取付作業は、精度よく行われる。
【０１２５】
ＬＤ３を備えるＬＤホルダ５が、各種光学系部品を備えるハウジング３００に取り付けられるときに、ＬＤホルダ５に装備された位置合せ用の第一ねじ６０や、位置合せ用の第二ねじ７０が調整されることにより、各種光学系部品に対するレーザ光の光軸調整や光路調整は、精度よく容易に行われる。従って、ディスクに対し高品位なレーザ光のスポットを形成可能とさせた光ピックアップ装置１が、光ディスク装置（図示せず）の組立メーカなどに提供されることとなる。
【０１２６】
ＬＤ３と、各位置調整用ねじ６０，７０とを備えるＬＤホルダ５が、各種光学系部品を備えるハウジング３００に固定され、ＬＤ３，１０３や、ＰＤＩＣ２５０などの電気／電子部品に、不図示のフレキシブル基板が通電可能に接続されて、各種光学系部品に対し、ＬＤ３から出射されるレーザ光の光軸調整や光路調整が行われる。このようにして、光ピックアップ装置１が精度よく組み立てられる。
【０１２７】
ＬＤホルダ５に対するＬＤ３の取付構造は、ハウジング３００の各種光学系部品に対するレーザ光の光軸調整や光路調整が精度よく行われる構造のものとされているので、光軸調整や光路調整が精度よく行われた光ピックアップ装置１を、光ディスク装置（図示せず）の組立メーカなどに提供することができる。
【０１２８】
光ピックアップ装置１が組み立てられたのちに、光ピックアップ装置１のハウジング３００の第二ガイド部３１２，３１２に、光ディスク装置（図示せず）を構成する第二ガイド軸（図示せず）が合わせられる。また、光ピックアップ装置１のハウジング３００の第一ガイド部３１１に、光ディスク装置（図示せず）を構成する第一ガイド軸（図示せず）が合わせられる。光ピックアップ装置１のハウジング３００は、前記第一ガイド軸および前記第二ガイド軸に支持された状態で、光ピックアップ装置１のＺ軸方向に沿って移動される。
【０１２９】
上記光ピックアップ装置１を備える不図示の光ディスク装置は、例えば、ノート型パソコンや、デスクトップ型パソコンなどのパソコンや、ＣＤプレーヤや、ＤＶＤプレーヤなどの音響機器などに装備可能なものとされる。パソコンは、パーソナルコンピュータ（Personal Computer ）の略称とされる。
【０１３０】
本発明のレーザホルダおよび光ピックアップ装置は、図示されたものに限定されるものではない。本発明のものは、その要旨を逸脱しない範囲において、種々変更可能なものとされる。
【図面の簡単な説明】
【０１３１】
【図１】本発明に係るレーザホルダの一実施形態を示す斜視図である。
【図２】レーザホルダにレーザダイオードとねじとが取り付けられた状態を示す斜視図である。
【図３】（ａ）はレーザホルダにレーザダイオードとねじとが取り付けられた状態を示す平面図、（ｂ）はレーザホルダにレーザダイオードとねじとが取り付けられた状態を示す正面図である。
【図４】（ａ）はレーザホルダを示す正面図、（ｂ）は（ａ）に示すレーザホルダを斜め上側から見た図である。
【図５】本発明に係る光ピックアップ装置の一実施形態を示す分解斜視図である。
【図６】同じく光ピックアップ装置を示す斜視図である。
【図７】従来の光ピックアップ装置の一形態を示す説明図である。
【符号の説明】
【０１３２】
１                光ピックアップ装置（光ピックアップ装置）
３                ＬＤ（レーザダイオード）
５                ＬＤホルダ（レーザホルダ）
１０              第一調整部材
１１，２１，３１  第一角部
１２，２２，３２  第二角部
１３，２３，３３  第三角部
１４，２４，３４  第四角部
１６              第一ねじ孔（ねじ孔）
１８              貫通孔
２０              第二調整部材
２０ａ，３０ａ    平面部
２７              第二ねじ孔（ねじ孔）
３０              第三調整部材
４０              第一連結部（連結部）
４１              一方の連結部（連結部）
４２              他方の連結部（連結部）
４５，５５        隙間（間）
５０              第二連結部（連結部）
６０              第一ねじ（ねじ）
６０ａ，７０ａ    先端部
７０              第二ねじ（ねじ）
３００            ハウジング
Ｌ                光軸方向
【図１】
2006012328.tif 000003
【図２】
2006012328.tif 000004
【図３】
2006012328.tif 000005
【図４】
2006012328.tif 000006
【図５】
2006012328.tif 000007
【図６】
2006012328.tif 000008
【図７】
2006012328.tif 000009